(57)【要約】      （修正有）【課題】加工・接合が簡単であるとともに、容器の外周面に天然素材の木質薄板の木目の傾斜模様のデザイン性をもたらした表面木目斜傾模様の円形薄板積層容器を提供する。【解決手段】少なくとも２〜４枚の木材スライス単板を少なくとも一枚の木目５を３０〜６０°角度に傾斜した外面にして、接着剤にて張り合わせて、０．５〜５ｍｍの厚さに加圧成型し、その木製積層板を使用して、有底円形状の主円筒様体２と、その主円筒様体の開口を開閉する蓋円筒様体３とを備えた円形状の容器１を構成する。【選択図】図１
0003194377.tif 000002
【実用新案登録請求の範囲】
【請求項１】
積層した少なくとも２〜４枚の木材スライス単板を含む複数の木材スライス単薄板において、少なくとも一枚を木目方向で３０〜６０°角度に傾斜した外面にして、接着剤にて張り合わせて、０・５〜５ｍｍの厚さに成型している木製積層板を使用した、有底円形状の主円筒様体と、その主円筒様体の開口を開閉する蓋円筒様体とを備えた円形状を有する容器であり、その外面部が木目方向で３０〜６０°角度に傾斜した木目模様になっていることを特徴とする表面木目斜傾模様の円形薄板積層容器。
【請求項２】
木材スライス単薄板は、針葉樹林であるエゾマツ材、モミ材、ヒノキ材、スギ材、マツ材の厚さ０．２〜２ｍｍの木製の薄平板で、少なくとも一枚において木目方向で３０〜６０°角度に傾斜した外面にして、一枚以外には木目を横方向並び、または逆の角度方向で６０〜３０°の傾斜にしたものであって、円筒部の外面を木目傾斜面にして、円筒容器の底、及び蓋部分においては、平均値０．５〜３ｍｍの範囲の厚さの薄平板木材を使用された直径５０〜３００ｍｍの円形状を有する前記主円筒様体、及び前記蓋円筒様体とから構成されていることを特徴とする表面木目斜傾模様の円形薄板積層容器。
【請求項３】
木材スライス単薄板は、上記の平板の数枚を並べて、各平板の接合面に接着剤を塗布して、接合成形した積層板をスライスして、厚さ０．１〜１ｍｍの短冊状、あるいは広幅状の薄平板を２〜２０枚を縦横、及び上下に所定の角度で整列に並べて、食品安全性の多糖質系、又はウレタン系の接着剤を使用した前記各平板の接合面に塗布して、塗布接合した積層板を、２〜１００ｋｇ／ｃｍ２の加圧成形で処理したものを使用していることを特徴とする請求項１、又は請求項２に記載の表面木目斜傾模様の円形薄板積層容器。
【請求項４】
木目方向で３０〜６０°角度に傾斜した外面にした積層板を使用した、前記円形状を有する蓋付薄板容器は、外面で木目傾斜面を有する円形状を有する入り底ありの前記主円筒様体、及び入り蓋ありの前記蓋円筒様体であって、入り底、及び入り蓋の深さはそれぞれ２〜１０ｍｍであって、前記の薄平板の端部から２〜１０ｍｍの位置に０．３〜１ｍｍ深さ、０．５〜２ｍｍ幅の溝をもった薄板を使用した５０〜３００ｍｍ直径の円形を有する蓋付円筒様形体であり、前記主円筒様形体を内円筒様形体と外円筒様形体とにより構成し、内円筒様形体には外円筒様形体の開口端部から突出する突出筒部を形成し、その突出筒部には前記蓋円筒様体が外嵌されるような構成体、又は円形を有する前記主円筒様形体に前記蓋円筒様体を外嵌されるような構成体とであって、前記主円筒様体と前記蓋円筒様体との高さそれぞれ、５０〜５００ｍｍ、５０〜３００ｍｍにしていることを特徴とする請求項１〜請求項３のいずれかに記載の表面木目斜傾模様の円形薄板積層容器。
【請求項５】
木目方向で３０〜６０°角度に傾斜した外面にした積層板を使用した、前記主円筒様形体を内円筒様形体と外円筒様形体とにより構成し、内円筒様体には外円筒様体の開口端部から突出する円筒部を形成し、その突出円筒部には前記蓋円筒様体で外嵌されるような構成体になって、前記突出している内円筒様形体の寸法として、全体長さ３０〜５０ｍｍ、突出部１０〜３０ｍｍであり、円形を有する前記主円筒様形体に前記蓋円筒様体を外嵌された構成体は、高さ５０〜５００ｍｍの主円筒様体と高さ３０〜３００ｍｍの蓋円筒様体とからなっていることを特徴とする請求項１〜請求項４のいずれかに記載の表面木目斜傾模様の円形薄板積層容器。
【請求項６】
木目方向で３０〜６０°角度に傾斜した外面にした積層板を使用した直径５０〜３００ｍｍの円形を有する前記円筒様形体は、入り底ありの主円筒様体部と、入り蓋ありの蓋円筒様形体部とから形成されて、食品、並びに食品贈答品を収納されているように形態になっており、円形状として円筒形、半円形付き角形、ハート型、月形、二連円形の中から選ばれた円筒様形状体であることを特徴とする請求項１〜請求項５のいずれかに記載の表面木目斜傾模様の円形薄板積層容器。
【考案の詳細な説明】
【技術分野】
【０００１】この考案は、木製の薄平板を使用してデザイン性木目斜傾の外部表面をもたらして製作した食品用、および贈答品用収納容器にした、表面木目斜傾模様の円形薄板積層容器に関するものである。
【背景技術】
【０００２】従来、この種の円形状の蓋付き容器としては、合成樹脂や厚紙よりなる有底円筒状の主筒の開口端部に、同じく合成樹脂や厚紙よりなる蓋筒を開閉可能に嵌着するように構成したものが知られている。この従来構成においては、主筒及び蓋筒が合成樹脂や厚紙により形成されているため、主筒及び蓋筒の外周面に木目模様等の天然素材の模様を表出させるのが困難であった。【０００３】一方、円筒状の木製容器の構成が開示されているが、一つの木片に対して軸方向へのボーリングを施すことによって円筒状の木製容器が形成されるものが提案されている（特許文献１参照）。【０００４】また、福祉用具や学校用学習机椅子等の木製部材に使用されるウッドパイプとして、複数枚の木質の薄単板を巻回積層して接着固定することにより、円筒状のウッドパイプが形成されている。この場合、表面木目斜傾模様になるが、各層の薄板で巻き始め端縁と巻き終わり端縁とが、互いに重ならないように突合せ状態で接合されるとともに、ウッドパイプの軸線と平行に延びるように配置されている。また、各層における薄単板の突合せ接合部は、同一位置に重合しないように、ウッドパイプの円周方向へ位置をずらして配置されている容器も提案されている（特許文献２参照）。【０００６】有底円筒状の主筒と、その主筒の開口を開閉する蓋筒とを備えた円筒容器において、前記主筒及び蓋筒を木製の薄板を軸線に対して傾斜するように巻回して構成するとともに、その薄板の端縁により前記主筒及び蓋筒の外周面に段差状の装飾部を形成した木製の円筒容器が提案されている（特許文献３参照）。【０００７】さらに複数の木片を直列に接着して得られた複合寄せ木材をその直列方向に縦断するように薄板状に切断して得られた可撓性を有する寄せ木状かつ矩形帯状の薄板を扁平の筒形態に湾曲させて形成された薄肉の胴部と、その胴部の下部内周面に形成された周方向の環状溝に嵌め込まれて、その胴部の下側開口を塞ぐ底板と、前記胴部の上端面に着座してその胴部の上側開口を塞ぐ蓋板と、前記胴部の外周に嵌められたたが部材と、上端から下端まで縦の側壁が互いに平行となる木製樽型容器が提案されている（特許文献４参照）。【０００８】上記のように薄板を使用した積層体容器は、接着性、及びデザイン性で十分ではなく、加工方法に工夫をもたらすか、特にデザイン性外部表面では材料として樹脂製、紙製などの装飾物、あるいは焼印が使用されていた。しかし特殊な模様の木製薄板での可能性が期待されている。またこのような表面木目斜傾模様の平板の円形を有する食品、贈答品などを収納できる入り蓋、及び入り底ありの蓋付き木製容器については、今まで存在していない。
【先行技術文献】
【特許文献】
【０００９】
【特許文献１】特開平９−１６４５１２号公報
【特許文献２】特開２００５−２８８８１４号公報
【特許文献３】特開２０１０−５９６２号公報
【特許文献４】特開２００５−３３５２９０号公報
【考案の概要】
【考案が解決しようとする課題】
【００１０】木製薄板の円形状の容器を製作する場合においては、一般に薄板の破損、亀裂などが起こり、十分な容器の収率をもたらすことができない。同じ径の木製容器を複数作製しようとすれば、その木製容器の外径の２倍以上の木材を必要とするため、原材料の浪費に直結する。従って、薄板を二枚以上の貼り合わせた積層体で、強度、または破損を防ぐことが行われている。しかし貼り合わせでも直交的に行われている。しかし強度には解決しているが、デザイン的には十分ではない。【００１１】また円筒状で、積層体の木製容器の外径の２倍未満の木材からは径の異なる木製容器しか作製できない。しかも、従来技術においては、木製容器の外周面には何らの装飾も施されず、きわめて興趣に乏しい。また薄単板を使用した容器は、強度的に十分ではなく、加工方法に工夫をもたらすか、材料として樹脂製などが使用されていた。しかし特殊な木製薄板での外部表面の装飾の可能性が期待されている。【００１２】また、従来構成では、表面木目斜傾模様のものは存在していない。積層体で複数枚の木質の薄単板が用いられているため、複数枚の木質の薄単板が巻回積層された各層において、薄単板で巻き始め端縁と、巻き終わり端縁とが突合せ状態で接着剤によって接合されているため、各層の薄単板の幅を外側層ほど次第に大きくなるように変更調整する必要があり、隙間の多いものであった。よって、同一形状の木製薄単板を使用することができず、薄単板の加工が面倒になるという問題があった。さらに木製薄板で強度的に可能な材料が必要であった。【００１３】また、木製薄板容器の外周面に最外層の表面木目斜傾模様の薄単板の突合せ接合部が、容器の外周面と同一周面上で、容器の軸線に沿って直線状に延びるように現れるように構成されている。このため、外周面に立体的なデザイン変化を醸しだすことができないという問題もあった。木質の薄単板により円筒容器の主筒及び蓋筒を形成したとしても、加工が簡単でデザイン的に優れた円筒容器を得ることができなかった。【００１４】この考案は、このような従来の薄板容器の技術課題に存在する問題点に着目して、デザイン性、強度などで対応なされたものである。その目的は、表面木目斜傾模様の薄板で強靭性を持って、殺菌性、防菌性を有している材料を使用して、円筒などの複雑な容器加工が簡単に処理できるとともに、円筒状容器で外周面に天然素材の立体的な表面木目斜傾模様のデザイン性変化を醸しだすことができる円形状を有する容器を提供することにある。
【課題を解決するための手段】
【００１５】積層した少なくとも２〜４枚の木材スライス単板を含む複数の木材スライス単薄板において、少なくとも一枚を木目方向で３０〜６０°角度に傾斜した外面にして、接着剤にて張り合わせて、０・５〜５ｍｍの厚さに成型している木製積層板を使用した、有底円形状の主円筒様体と、その主円筒様体の開口を開閉する蓋円筒様体とを備えた円形状を有する容器であり、その外面部が木目方向で３０〜６０°角度に傾斜した木目模様になっている表面木目斜傾模様の円形薄板積層容器である。【００１６】木材スライス単薄板は、針葉樹林であるエゾマツ材、モミ材、ヒノキ材、スギ材、マツ材の厚さ０．２〜２ｍｍの木製の薄平板で、少なくとも一枚において木目方向で３０〜６０°角度に傾斜した外面にして、一枚以外には木目を交差的横並び、または逆の角度で６０〜３０°の傾斜にしたものであって、円筒部の外面を木目傾斜面にして、円筒容器の底、及び蓋部分においては、平均値０．５〜３ｍｍの範囲の厚さの薄平板木材を使用された直径５０〜３００ｍｍの円形状を有する前記主円筒様体、及び前記蓋円筒様体とから構成されている。【００１７】木材スライス単薄板の接合方法として、短冊状、あるいは広幅状の薄板を２〜２０枚を角度に合わせて縦横、上下に整列に並べて、食品安全性の多糖質系、又はウレタン系の接着剤を使用して、液状にしたものを、前記各スライス単薄板の接合面に塗布して、塗布接合した積層板を、２〜１００ｋｇ／ｃｍ２の加圧成形で処理したものを使用している。【００１８】木目方向で３０〜６０°角度に傾斜した外面にした積層板を使用した、前記円形状を有する蓋付薄板容器は、外面で木目傾斜面を有する円形状を有する入り底ありの前記主円筒様体、及び入り蓋ありの前記蓋円筒様体であって、入り底、及び入り蓋の深さはそれぞれ２〜１０ｍｍであって、前記の薄平板の端部から２〜１０ｍｍの位置に０．３〜１ｍｍ深さ、０．５〜２ｍｍ幅の溝をもった薄板を使用した５０〜３００ｍｍ直径の円形を有する蓋付円筒様形体であり、前記主円筒様形体を内円筒様形体と外円筒様形体とにより構成し、内円筒様形体には外円筒様形体の開口端部から突出する突出筒部を形成し、その突出筒部には前記蓋円筒様体が外嵌されるような構成体、又は円形を有する前記主円筒様形体に前記蓋円筒様体を外嵌されるような構成体とであって、前記主円筒様体と蓋円筒様体とそれぞれ、高さ５０〜５００ｍｍ、高さ５０〜３００ｍｍである。【００１９】木目方向で３０〜６０°角度に傾斜した外面にした積層板を使用した、前記主円筒様形体を内円筒様形体と外円筒様形体とにより構成し、内円筒様体には外円筒様体の開口端部から突出する円筒部を形成し、その突出円筒部には前記蓋円筒様体で外嵌されるような構成体になって、前記突出している内円筒様形体の寸法として、全体長さ３０〜５０ｍｍ、突出部１０〜３０ｍｍであり、円形を有する前記主円筒様形体に前記蓋円筒様体を外嵌された構成体は、高さ５０〜５００ｍｍの主円筒様体と高さ３０〜３００ｍｍの蓋円筒様体とからなっている。【００２０】木目方向で３０〜６０°角度に傾斜した外面にした積層板を使用した直径５０〜３００ｍｍの円形を有する前記円筒様形体は、入り底ありの主円筒様体部と、入���蓋ありの蓋円筒様形体部とから形成されて、食品、並びに食品贈答品を収納されているように形態になっており、円形状として円筒形、半円形付き角形、ハート型、月形、二連円形の中から選ばれた円筒様形状体である。これらの容器には全面に、或いは部分的に有色、或いは透明の食品安全な塗料を塗布して、褪色性、また汚れを防ぐように被膜処理することも出来るようにしている。【００２１】又は蓋表面板と側板には彫刻模様または刻印を焼き付けてあって、その前記有底主円筒様体及び蓋円筒様体の外周面に装飾部を形成された装飾模様円筒様体になり、又は主円筒様体上の装飾部と高さ３０〜１００ｍｍの蓋円筒様体の装飾部とを別々になり、又は外円筒様体と蓋円筒様体との装飾部とが連続して、３０〜５００ｍｍ範囲の全円筒様体に装飾模様になっている。
【考案の効果】
【００２２】この考案によれば、特殊な木材を使用した薄板を使用して木目斜傾模様の円形状を有する入り蓋、及び入り底ありの蓋付き円筒様形状容器を簡単に加工・製造を行うことができるとともに、薄板間の木目斜傾模様の円形状での接合性もよくなって、円形様容器に強度にも十分な食品、贈答品の容器として、外周面に天然木製素材で立体的な木目斜傾模様の円形状のデザイン性変化を醸しだすことができるという効果を発揮した。【００２３】種々の木目斜傾模様の円筒様形状においても、薄板の強度は十分で、亀裂とかヒズミなどが存在しない強靭な容器で、食品、あるいは贈答品の包装に対して、殺菌性、抗菌性などをもたらした。
【図面の簡単な説明】
【００２４】
【図１】表面木目斜傾模様の円形薄板積層容器の斜視図。
【図２】表面木目斜傾模様である内円筒様形体と外円筒様形体を有する主円筒形で、主円筒様形体と入り蓋ありの蓋円筒様体とを分離した円形状を有する蓋付薄板容器の斜視図
【図３】木目斜傾模様の材料である薄平板の表面における底取り付け溝部の拡大図。Ａ：表面図  Ｂ：裏面図
【図４】長筒の木目斜傾模様の円形状を有する蓋付薄板容器の斜視図
【図５】ハート型の木目斜傾模様の円形状を有する蓋付薄板容器の斜視図
【図６】木目斜傾模様の円形を有する蓋付き容器の食品収納状態を示す斜視図。
【図７】木目斜傾模様の円形を有する蓋付き容器の三段重容器の斜視図
【考案を実施するための形態】
【００２５】以下に、この考案の一実施形態を、図面に基づいて説明する。
図１及び図２に示すように、この実施形態の表面木目斜傾模様の円筒容器は、有底円筒状の主筒様体と、その主筒の開口端部に脱着開閉可能に取り付けられた蓋筒様体とから構成されている。表面木目斜傾模様の主筒様体は、円筒状の内筒と、その内筒の外側に嵌合固定された円筒状の外筒と、内筒及び外筒の底部に嵌合固定されたほぼ円板状の端板とより構成されている。内筒には、外筒の開口端部から突出する突出筒部が形成されている。蓋筒様体は、表面木目斜傾模様の円筒状の蓋筒様体と、その蓋筒本体の頂部に嵌合固定されたほぼ円板状の端板とより構成されている。そして、この蓋筒が主筒における内筒の突出筒部に対して、印籠蓋形式で外嵌されるように構成されている。
【実施例１】
【００２６】次のように実施形態を基に表面木目斜傾模様の円形状を有する蓋付薄板容器を具体化することも可能にした。積層した少なくとも２枚の木材スライス単板を含む木材スライス単薄板を、一枚を木目方向で約６０°角度に傾斜した外面にして、接着剤にて張り合わせて、１ｍｍの厚さに成型している木製積層板を使用した、有底円形状の主円筒様体と、その主円筒様体の開口を開閉する蓋円筒様体とを備えた円形状を有する容器で、図１に示すようにその外面部が木目方向で６０°角度に傾斜した表面木目斜傾模様木目模様にした。【００２７】木材スライス単薄板は、針葉樹林であるスギ材の厚さ０．５ｍｍの木製の薄平板で、一枚において木目方向で６０°角度に傾斜した外面にして、一枚以外には木目を交差的横並びものであって、円筒部の外面を木目傾斜面にして、円筒容器の底、及び蓋部分においては、平均値１ｍｍの範囲の厚さの薄平板木材を使用された直径１３５ｍｍの円形状を有する入り底ありの前記主円筒様体、及び入り蓋ありの前記蓋円筒様体とから構成された。【００２８】図２に示すように有底円形状の主円筒様体と、その主円筒様体の開口を開閉する蓋円筒様体とを備えた円形状を有する容器は、厚さ１ｍｍの木製の薄平板において、スギ材であって、図３で示すように薄平板の木材を使用した、図１のような直径１３５ｍｍの円形状を有する１０ｍｍの入り底ありの前記主円筒様体及び２ｍｍの入り蓋ありの前記蓋円筒様体とから構成した。【００２９】前記円形状を有する蓋付き薄板容器は、円形状を有する入り底ありの前記主円筒様体、及び入り蓋ありの前記蓋円筒様体であって、入り蓋、及び入り底の深さは２ｍｍと５ｍｍであって、図３に示すように前記の薄平板の端部から２ｍｍと５ｍｍの位置に深さ０．４ｍｍ、幅１．２ｍｍの溝をもった薄板を使用した直径１３５ｍｍの円形を有する蓋付き円筒様形体であり、図２に示すような前記主円筒様形体を内円筒様形体と外円筒様形体とにより構成し、内円筒様体には外円筒様体の開口端部から突出する突出筒部を形成し、その突出筒部には前記蓋円筒様体が外嵌されるような構成体であって、内円筒様体の高さ５０ｍｍ、蓋円筒様体の高さ２０ｍｍにした。【００３０】薄平板を使用した直径１３５ｍｍの円形を有する前記円筒様形体は、入り底ありの主円筒様体部と入り蓋ありの蓋円筒様形体部とから形成されて、食品を収納されているように形態になっており、形状として円筒形の円筒様体にした。
この容器をキャンディーの詰め合わせ容器にして、百貨店などの食品売店で販売した。
【実施例２】
【００３１】図１に示すように有底円形状の主円筒様体と、その主円筒様体の開口を開閉する蓋円筒様体とを備えた円形状を有する容器は、厚さ０．５ｍｍの木製の薄平板においてスギ材であって、薄平板の木材を使用した直径１５０ｍｍの円形状を有する５ｍｍの入り底ありの前記主円筒様体及び２ｍｍの入り蓋ありの前記蓋円筒様体にした。積層した少なくとも２枚の木材スライス単板を含む木材スライス単薄板を、一枚を木目方向で約４５°角度に傾斜した外面にして、接着剤にて張り合わせて、０．５ｍｍの厚さに成型している木製積層板を使用した、有底円形状の主円筒様体と、その主円筒様体の開口を開閉する蓋円筒様体とを備えた円形状を有する容器であった。【００３２】前記円形状を有する蓋付き薄板容器は、円形状を有する入り底ありの前記主円筒様体、及び入り蓋ありの前記蓋円筒様体で、入り蓋、及び入り底の深さは２ｍｍと５ｍｍで、前記の薄平板の端部から２ｍｍと５ｍｍの位置に深さ０．４ｍｍ、幅１．２ｍｍの溝をもった薄板を使用した直径１５０ｍｍの円形を有する蓋付き円筒様形体にして、前記主円筒様形体を内円筒様形体と外円筒様形体で構成し、内円筒様体には外円筒様体の開口端部から突出する突出筒部を設け、その突出筒部には前記蓋円筒様体が外嵌されるような構成体にした。【００３３】薄平板を使用した直径１５０ｍｍの円形を有する前記円筒様形体は、入り底ありの主円筒様体部と入り蓋ありの蓋円筒様形体部とから形成されて、食品を収納されているように円筒形の円筒様体形態にした。この容器は、全面に透明塗料を塗布して、木目が鮮明に表わされるようにして、洋菓子の詰め合わせ容器と使用した。
【実施例３】
【００３４】図１に示すように有底円形状の主円筒形体と、その主円筒形体の開口を開閉する蓋円筒体とを備えた円形を有する容器において、厚さ０・５ｍｍのもみの木製の薄板における年輪幅０．５〜３ｍｍになっている薄平板（全体の年輪の幅１．２〜２．５ｍｍの範囲に）を使用した直径６０ｍｍの円形を有する前記主円筒形体及び蓋円筒体を木製の木目斜傾模様薄板を構成した。【００３５】木目斜傾模様の薄板を使用した直径６０ｍｍの円形を有する前記主円筒形体を内円筒形体と外円筒形体とにより構成し、内円筒体には２ｍｍの厚さを持つ外円筒体の開口端部から突出する突出筒部を形成するとともに、その突出筒部には前記蓋円筒体が外嵌されるように構成し、前記突出円筒体部と蓋円筒体との間には、高さ６０ｍｍの外円筒体上の木目斜傾模様の装飾部と蓋円筒体上の同様な装飾部とを連続にした。【００３６】薄板を使用した直径６０ｍｍ、高さ１２０ｍｍ（蓋の高さ３０ｍｍ）の円形を有する前記主円筒形体を、内円筒体には外円筒体の開口端部から突出する突出円筒体部を形成して、木目斜傾模様の円筒形にした。積層した少なくとも２枚の木材スライス単板を含む木材スライス単薄板を、一枚を木目方向で約６０°角度に傾斜した外面にして、接着剤にて張り合わせて、０・５ｍｍの厚さに成型している木製積層板を使用した、有底円形状の主円筒様体と、その主円筒様体の開口を開閉する蓋円筒様体とを備えた円形状を有する容器であって、外周面に装飾部を形成された木目斜傾模様装飾円筒様体は、蓋表面板と側板には刻印を焼き付けた。【００３７】木目斜傾模様の有底円形状の主円筒形体と、その主円筒形体の開口を開閉する蓋円筒体とを備えた円形を有する容器において、木製の薄板における年輪幅を０．５〜３ｍｍで、薄板の表面に処理剤を塗布したものを使用した直径６０ｍｍの円形を有する前記主円筒形体及び蓋円筒体を木製の薄板を接着剤にて接合するとともに、その主円筒形体及び蓋円筒体の底板との接合において隙間を持たないようにした。この木目斜傾模様容器としてタオルを入れる容器として使用した。
【実施例４】
【００３８】有底円形状のハート型主円筒形体と、その主円筒形体の開口を開閉する蓋円筒体とを備えた円形を有する容器において、厚さ０．５ｍｍのヒノキ製の薄板を使用した直径２００ｍｍの円形を有する前記ハート型主円筒形体及びハート型蓋円筒体を木製の木目斜傾模様薄板で構成した。積層した少なくとも２枚の木材スライス単板を含む木材スライス単薄板を、一枚を木目方向で約４５°角度に傾斜した外面にして、接着剤にて張り合わせて、０．５ｍｍの厚さに成型している木製積層板を使用した、有底円形状の主円筒様体と、その主円筒様体の開口を開閉する蓋円筒様体とを備えた円形状を有する容器であった。【００３９】木目斜傾模様薄板を使用した直径約２００ｍｍの円形を有する前記ハート型主円筒形体を内円筒形体と外円筒形体とにより構成し、内円筒体には２ｍｍの幅を持つ外円筒体の開口端部から突出する突出筒部を形成するとともに、その突出筒部には前記蓋円筒体が外嵌されるようにして、前記ハート型突出円筒体部と蓋円筒体との間には、高さ１００ｍｍの外円筒体上の木目斜傾模様の装飾部と蓋円筒体上の同様な装飾部を付けた。【００４０】木目斜傾模様薄板を使用した直径２００ｍｍの円形を有する前記ハート型主円筒形体を、内円筒体には外円筒体の開口端部から突出する突出円筒体部を形成して、ハート状形にした。外周面に装飾部を形成された装飾模様ハート型円筒様体は、主円筒様形体の表面木目斜傾模様とした。【００４１】木目斜傾模様有底円形状のハート型主円筒形体と、その主円筒形体の開口を開閉する蓋円筒体とを備えた円形を有する容器において、木製の薄板における年輪幅を０．５〜３ｍｍで、薄板の表面に処理剤を塗布したものを使用した直径２００ｍｍの円形を有する前記主円筒形体及び蓋円筒体を木製の薄板を接合するとともに、そのハート型主円筒形体及び蓋円筒体の底板との接合において隙間を持たないようにした。この容器には、クッキー、チョコレートなどの詰め合わせの容器として使用した。
【符号の説明】
【００４２】１  円形容器、
２  主円筒様体、
３  蓋円筒様体、
４  年輪幅、
５  木目、
６  入り底
７  入り蓋
８  木製の薄平板、
９  溝部、
１０  内円筒様形体
１１  外円筒様形体
１２  装飾部、
１３  開口端部
１４  突出筒部
１５  外側段差部、
１６  内側段差部
１７  焼き付け
１８  半円形付き角形、
１９  ハート型、
２１  二連円形
２２  キャンディー
【図１】
0003194377.tif 000003
【図２】
0003194377.tif 000004
【図３】
0003194377.tif 000005
【図４】
0003194377.tif 000006
【図５】
0003194377.tif 000007
【図６】
0003194377.tif 000008
【図７】
0003194377.tif 000009